(57)【特許請求の範囲】
【請求項１】
板状のコンクリート部と、前記コンクリート部の底面寄りに格子状に埋設された構造用鉄筋と、前記コンクリート部にその一部が埋設された複数のコンクリート打継ぎ面用せん断補強部材とからなるハーフＰＣ部材であって、
前記複数のせん断補強部材の各々は、１枚の鋼板からなる平板状の上部材と、１本の構造用鉄筋からなる斜材と、１本の構造用鉄筋からなる底部材とを備え、
前記平板状上部材は細い幅を有して直線状に延在して形成され、
前記斜材は、前記平板状上部材の幅方向のほぼ中央で前記平板状上部材の長手方向に等間隔をおいた箇所に固定された多数の上辺部と、前記平板状上部材に平行して延在する直線上に位置するように配置された多数の底辺部と、これら上辺部の端部と底辺部の端部とを順次連結する連結部とから波形に形成され、
前記底部材は前記平板状上部材と平行して延在し前記斜材の前記多数の底辺部にそれぞれ固定され、
前記斜材を含む平面が前記コンクリート部の厚さ方向に平行する方向に延在し、かつ、前記平板状上部材の両側面が前記コンクリート部の主面に対して平行に延展するように前記せん断補強部材の一部が前記コンクリート部に埋設されており、
前記せん断補強部材が前記構造用鉄筋に臨む部分は前記構造用鉄筋に固定され、
前記斜材と底部材は単一の平面内に含まれるように配置され、あるいは、前記斜材を含む面に対して直交する方向において前記底部材と前記斜材の底辺部が固定されている、
ことを特徴とするハーフＰＣ部材。
【請求項２】
請求項１記載のハーフＰＣ部材を建築物の所要位置に建て込み、前記コンクリート部の上面から露出するせん断補強部材の上端の上に直接あるいはスペーサーを介して床スラブの上端鉄筋を配筋して固定し、次いで、上端鉄筋が埋設されるように後打ちコンクリートを前記ハーフＰＣ部材の上面に打設して形成することを特徴とする床スラブの施工方法。
【請求項３】
請求項１記載のハーフＰＣ部材を建設物の所定壁位置に、該壁の表裏両面の一方を構成するように建て込むと共に、該壁の表裏両面の他方を構成するように通常の型枠または通常のハーフＰＣ部材を建て込んで後打ちコンクリート用空間部を形成し、次いで、該空間部に後打ちコンクリートを打設することを特徴とする壁体の施工方法。
【請求項４】
前記後打ちコンクリートを打設する前に、前記ハーフＰＣ部材の表面に、廃棄プラスチックをブロック状に再形成した複数のリサイクルブロックを配置することを特徴とする請求項２記載の床スラブの施工方法または請求項３記載の壁体の施工方法。
【発明の詳細な説明】
【０００１】
【発明の属する技術分野】
本発明は、ハーフＰＣ部材、およびそれを用いた床スラブ、壁体の施工方法に関する。
【０００２】
【従来の技術】
建築物等の鉄筋コンクリート造床スラブの施工においては、該床スラブの下面部を構成するハーフＰＣ（プレキャストコンクリート）床部材の上面と、その上面に後打ちされて床スラブの上面部を構成する現場打ちコンクリート床部の下面との接触面に生じる打継ぎ面を構造的に一体化させるためのせん断補強部材を組込んだハーフＰＣ床部材が広く使用されてきている。
図面を参照して説明すると、図１５は複数のハーフＰＣ床部材と、それらの上面に後打ちされた現場打ちコンクリート床部からなる鉄筋コンクリート造床スラブの分解斜視図、図１６はハーフＰＣ床部材と、その上面に後打ちされた現場打ちコンクリート床部からなる鉄筋コンクリート造床スラブの断面図、図１７はハーフＰＣ床部材と、その上面にエスレンボイド型枠を用いて後打ちされた現場打ちコンクリート床部からなる鉄筋コンクリート造床スラブの断面図、図１８は組立鉄筋の斜視図を示している。
【０００３】
鉄筋コンクリート造床スラブ１０を施工するに際して、図１５乃至図１７に示すように、ハーフＰＣ床部材１２が用いられる。
ハーフＰＣ床部材１２は板状のコンクリート部１２０２と、このコンクリート部１２０２に格子状に埋め込まれた複数の床スラブ下端鉄筋１２０４と、それら床スラブ下端鉄筋１２０４上に配置され下部がコンクリート部１２０２に埋め込まれた複数のせん断補強用の組立鉄筋１６などから構成され、コンクリート部１２０２の上面からは組立鉄筋１６の上部が露出している。
そして、このような複数のハーフＰＣ床部材１２を平面的に並べた後、その上面に現場打ちコンクリート床部１８を後打ちして鉄筋コンクリート造床スラブ１０が得られる。
【０００４】
なお、図１７において符号２０は中空部を示しており、この中空部１８はエスレンボイド型枠を用いることで形成される。また、符号２２は床主筋を示し、床主筋２２を用いる場合には、床主筋２２を組立鉄筋１６上に配筋した後、現場打ちコンクリート床部１８を打設する。
前記組立鉄筋１６は、上記打継ぎ部のせん断補強を主たる機能とする他、現場打ちコンクリート床部１８に配設される床主筋２２の位置決め・固定機能、更には、ハーフＰＣ床部材１２自体の曲げ剛性を高め、製造・運搬・建て込み等のハンドリング時の部材破損防止機能をも有するものである。
【０００５】
また、最近では鉄筋コンクリート造壁の施工においても、上記ハーフＰＣ部材を打込み型枠として、施工すべき壁の内外両表面位置のいずれか一方（この場合は、対向するもう一方には通常の型枠が建て込まれる。）、あるいは両方に、該組立鉄筋１６側が壁芯側となるように建て込み、次いで、両面のハーフＰＣ部材と型枠により形成された空間部に後打ちコンクリートを打設する施工方法も、実施されるようになってきている。
この場合においても、組立鉄筋１６の果たすべき機能は、コンクリート打継ぎ面のせん断補強をはじめ前記と同様である。
【０００６】
【発明が解決しようとする課題】
しかしながら、上記ハーフＰＣ部材における組立鉄筋１６は、図１８に示すように、二等辺三角形の頂点に位置するように配置された１本の上弦材１６０２と、前記二等辺三角形の底辺両端の頂点に位置するように配置された２本の下弦材１６０４、前記上弦材１６０２と下弦材１６０４とを連結する２本の斜材（ラチス筋）１６０６の計５本の素材を組み立てられ、ユニット化して構成されている。
そのため、ハーフＰＣ床部材１２の略全面に相当するサイズの組立鉄筋１６を組み上げるためには、非常に多数の上弦材１６０２、下弦材１６０４、斜材１６０６を手順よく正確に組み立てねばならなくなり、組立の段取り・組立作業の複雑さが増し、加工組立作業に手間がかかり、製作コストが高くつくという問題があり、コスト面で利用上の制約があった。
本発明は前記事情に鑑み案出されたものであって、本発明の目的は、従来のせん断補強用の組立鉄筋の諸機能を低下させることなく、その製作コストを相当に低減できる新たなせん断補強部材を用いたハーフＰＣ部材、およびそのハーフＰＣ部材を用いた経済的な床スラブと壁の施工方法を提供することにある。
【０００７】
【課題を解決するための手段】
前記目的を達成するため本発明は、板状のコンクリート部と、前記コンクリート部の底面寄りに格子状に埋設された構造用鉄筋と、前記コンクリート部にその一部が埋設された複数のコンクリート打継ぎ面用せん断補強部材とからなるハーフＰＣ部材であって、前記複数のせん断補強部材の各々は、１枚の鋼板からなる平板状の上部材と、１本の構造用鉄筋からなる斜材と、１本の構造用鉄筋からなる底部材とを備え、前記平板状上部材は細い幅を有して直線状に延在して形成され、前記斜材は、前記平板状上部材の幅方向のほぼ中央で前記平板状上部材の長手方向に等間隔をおいた箇所に固定された多数の上辺部と、前記平板状上部材に平行して延在する直線上に位置するように配置された多数の底辺部と、これら上辺部の端部と底辺部の端部とを順次連結する連結部とから波形に形成され、前記底部材は前記平板状上部材と平行して延在し前記斜材の前記多数の底辺部にそれぞれ固定され、前記斜材を含む平面が前記コンクリート部の厚さ方向に平行する方向に延在し、かつ、前記平板状上部材の両側面が前記コンクリート部の主面に対して平行に延展するように前記せん断補強部材の一部が前記コンクリート部に埋設されており、前記せん断補強部材が前記構造用鉄筋に臨む部分は前記構造用鉄筋に固定され、前記斜材と底部材は単一の平面内に含まれるように配置され、あるいは、前記斜材を含む面に対して直交する方向において前記底部材と前記斜材の底辺部が固定されていることを特徴とする。
このような本発明によれば、従来の組立鉄筋に代わりせん断補強部材がコンクリート打継ぎ面のせん断補強部材として機能し、また、ハーフＰＣ部材自体の曲げ剛性を高め、製造・運搬・建て込み等のハンドリング時の部材破損防止機能が奏される。
そして、せん断補強部材は簡易な構成で、組み立てや加工が簡単になされ、ハーフＰＣ部材のコストダウンを図ることが可能となる。
【０００８】
また、本発明は、床スラブの施工方法であって、前記ハーフＰＣ部材を建築物の所要位置に建て込み、前記コンクリート部の上面から露出するせん断補強部材の上端の上に直接あるいはスペーサーを介して床スラブの上端鉄筋を配筋して固定し、次いで、上端鉄筋が埋設されるように後打ちコンクリートをハーフＰＣ部材の上面に打設して形成することを特徴とする。
また、本発明は、壁体の施工方法であって、前記ハーフＰＣ部材を建設物の所定壁位置に、該壁の表裏両面の一方を構成するように建て込むと共に、該壁の表裏両面の他方を構成するように通常の型枠または通常のハーフＰＣ部材を建て込んで後打ちコンクリート用空間部を形成し、次いで、該空間部に後打ちコンクリートを打設することを特徴とする。
また、本発明は、前記後打ちコンクリートを打設する前に、前記ハーフＰＣ部材の表面に、廃棄プラスチックをブロック状に再形成した複数のリサイクルブロックを配置することを特徴とする。
このような本発明によれば、前記のハーフＰＣ部材を用いることで床スラブや壁体の施工にまつわる費用のコストダウンを図ることが可能となる。
【０００９】
【発明の実施の形態】
以下、本発明の実施の形態を添付図面にしたがって説明する。
まず、第１の実施の形態から説明すると、図１は係るハーフＰＣ床部材と、それらの上面に後打ちされた現場打ちコンクリート床部からなる鉄筋コンクリート造床スラブの分解斜視図、図２は鉄筋コンクリート造床スラブの断面図、図３は（Ａ）はせん断補強部材の正面図、（Ｂ）は同側面図を示す。
鉄筋コンクリート造床スラブ３０を施工するに際して、図１、図２に示すように、ハーフＰＣ床部材３２が用いられる。
ハーフＰＣ床部材３２は板状のコンクリート部３２０２と、このコンクリート部３２０２に格子状に埋め込まれた複数の床スラブ下端鉄筋３２０４と、それら床スラブ下端鉄筋３２０４上に配置され下部がコンクリート部３２０２に埋め込まれた複数のせん断補強部材３６などから構成され、コンクリート部３２０２の上面からせん断補強部材３６の上部が露出している。
【００１０】
前記せん断補強部材３６はコンクリート打継ぎ面用の補強部材であって、図３（Ａ）、（Ｂ）に示すように、構造用鉄筋が直線状に延在して形成され曲げ補強筋として機能する１本の上弦材４０と、前記上弦材４０を含む単一の平面上に配置された構造用鉄筋からなりせん断補強筋として機能する１本の斜材４２から構成されている。
前記斜材４２は、前記上弦材４０に平行して延在する多数の底辺部４２０２と、前記上弦材４０の長手方向に等間隔をおいた箇所でそれぞれ固定された多数の上辺部４２０４と、これら底辺部４２０２の端部と上辺部４２０４の端部とを順次連結する連結部４２０６とから波形に形成されている。
そして、斜材４２の上辺部４２０４の下方で上辺部４２０４両端の一対の連結部４２０６の間に、構造用鉄筋が何も存在しない台形状の開放部４４（凹部）が形成され、また、斜材４２の下辺部４２０２の上方で下辺部４２０２両端の一対の連結部４２０６と上弦材４０との間に構造用鉄筋で囲まれた台形状の閉塞部４６が形成されている。
【００１１】
前記底辺部４２０２と連結部４２０６とのなす角度および上辺部４２０４と連結部４２０６とのなす角度は全て同一であり、前記角度は、せん断補強効果を発揮するのに好ましい角度となる９０゜以上１２０゜以下の範囲内に設定されている。
各せん断補強部材３６は上弦材４０と斜材４２を含む単一の平面がコンクリート部３２の厚さ方向に平行する方向に延在し、かつ、上弦材４０がコンクリート部３２の厚さ方向に臨む面に平行するようにその一部がコンクリート部３２に埋設されている。
より詳細には、本実施の形態では、各せん断補強部材３６の斜材４２の底辺部４２０２と、連結部４２０６の底辺寄り部分がコンクリート部３２に埋設され、残りの部分がコンクリート部３２の表面から露出し、上弦材４０がコンクリート部３２の表面の上方で該表面に平行して延在している。
【００１２】
このようなせん断補強部材３６は床スラブ下端鉄筋３２０４上に格子状に配筋されており、図１、図２に示すように、コンクリート部３２の一辺３２Ａに平行する複数のせん断補強部材３６Ａは、前記一辺３２Ａから見た時に、各せん断補強部材３６Ａの開放部４４と閉塞部４６とが重なるように同一の位相で配筋されている。
また、コンクリート部３２の一辺３２Ａに直交する一辺３２Ｂに平行する複数のせん断補強部材３６Ｂは、前記複数のせん断補強部材３６Ａの閉塞部４６内を挿通するとともに、せん断補強部材３６Ａの閉塞部４６内ではせん断補強部材３６Ｂの開放部４４が位置し、かつ、せん断補強部材３６Ａの上弦材４０の下面にせん断補強部材３６Ｂの上弦材４０の上面が当接し、一辺３２Ｂから見た時に、各せん断補強部材３６Ｂの開放部４４と閉塞部４６とが重なるように同一の位相で配筋されている。
【００１３】
そして、双方のせん断補強部材３６Ａ、３６Ｂの底辺部４２０２あるいは連結部４２０６の下端は、溶接またはクリップないし他の締付固定手段により床スラブ下端鉄筋３２０４に固定され、また、せん断補強部材３６Ａの上弦材４０の下面にせん断補強部材３６Ｂの上面が当接する箇所も上記と同様な手段により固定されている。
このように格子状に配筋されたせん断補強部材３６の上弦材４０、斜材４２の上辺部４２０４、連結部４２０６の上半部がコンクリート部３２の表面から露出するハーフＰＣ床部材１２が平面的に並べられ、必要に応じて上弦材４０の上に、直接またはスペーサを介して床スラブ上端鉄筋が配筋された後、現場打ちコンクリート床部５０が後打ちされて鉄筋コンクリート造床スラブ３０が得られる。
【００１４】
本実施の形態のハーフＰＣ部材３２は、従来の組立鉄筋１６に代わりせん断補強部材３６がコンクリート打継ぎ面のせん断補強部材として機能し、また、現場打ちコンクリート床部５０に配設される床スラブ上端鉄筋（床主筋）の位置決め・固定機能、更には、ハーフＰＣ床部材３２自体の曲げ剛性を高め、製造・運搬・建て込み等のハンドリング時の部材破損防止機能が奏される。
そして、せん断補強部材３６は２本の構造用鉄筋からなる簡易な構成で、組み立てや加工が簡単になされるので、ハーフＰＣ部材３２のコストダウンを図ることが可能となる。さらに、コストダウンを図れることから、従来、コストの面で制約を受けていた種々の分野にも利用できるようになり、ハーフＰＣ部材３２の実用的価値を格段と高めることも可能となる。
【００１５】
また、従来の組立鉄筋１６は上弦材１６０２の他に２本の下弦材１６０４を備えているために、直交する二方向に配置しようとすると完全な２段重ねとなり、厚み方向寸法が過大となり実用的でなくなるのに対して、本実施の形態ではせん断補強部材３６が下弦材を備えていないため、図２に示すとおり、実質的に寸法を殆ど増加させることなく、直交する二方向への配置が簡単に行え、ハーフＰＣ部材３２、鉄筋コンクリート造床スラブ３０の機能を格段と向上させることができ、また、省力化・経済性の点でも有利となる。
また、上記の実施の形態では、せん断補強部材３６を格子状に配筋するに際して、互いに直交する複数のせん断補強部材３６Ａ、３６Ｂを、共に底辺部４２０２が下に、上弦材４０が上になるように配置したが、双方のせん断補強部材３６Ａ、３６Ｂのうちの一方のせん断補強部材３６の天地を逆に、すなわち、一方のせん断補強部材３６においては、底辺部４２０２が上に、上弦材４０が下になるように配置してもよい。
このように一方のせん断補強部材３６の天地を逆にした場合には、上方に開放状に向いた一方のせん断補強部材３６の開放部４４と、下方に開放状に向いた他方のせん断補強部材３６の開放部４４とを交差させればよく、このように交差させることで、交差する双方の開口部４４において上辺部４２０４が上下方向に対向することになり、高さを増加させずにせん断補強部材３６を格子状に配筋することが可能となる。
【００１６】
次に、図４を参照して第２の実施の形態について説明する。
図４は鉄筋コンクリート造床スラブの断面図を示す。
第２の実施の形態に係るハーフＰＣ床部材３２は、コンクリート部３２０２と、このコンクリート部３２０２に格子状に埋め込まれた複数の床スラブ下端鉄筋３２０４と、それら床スラブ下端鉄筋３２０４上に配置され下部がコンクリート部３２０２に埋め込まれた複数のせん断補強部材３６から構成され、せん断補強部材３６の構成は前記実施の形態と同一である。
せん断補強部材３６は格子状に配置されずコンクリート部３２０２の一辺に平行させて複数設けられている。そして、せん断補強部材３６の上弦材４０、斜材４２の上辺部４２０４、連結部４２０６の上半部がコンクリート部３２の表面から露出している。
【００１７】
このようなハーフＰＣ床部材３２が平面的に並べられ、上弦材４０の上に、直接またはスペーサを介して床スラブ上端鉄筋５２が格子状に配筋された後、現場打ちコンクリート床部５０が後打ちされて鉄筋コンクリート造床スラブ３０が得られる。
なお、図４において符号５４は中空部を示しており、この中空部５４はエスレンボイド型枠を用いることで形成される。また、中空部５４を、廃棄プラスチックをブロック状に再形成したリサイクルブロックを用いることで形成することも可能である。この場合には、現場打ちコンクリート床部５０を後打ちする前に、ハーフＰＣ床部材３２の上にリサイクルブロックを固定しておき、現場打ちコンクリート床部５０を後打ちしてリサイクルブロックをコンクリート中に埋め込むことになる。このようなリサイクルブロックとして、本出願人が既に出願済である特願平１０−１２３２７４号「リサイクルプラスチックブロック」や、特願平下１０−１２３２９０号「リサイクルプラスチックブロック」、特願平１０−１２３３９１号「リサイクルブロック」を用いることができる。
【００１８】
次に、図５および図６を参照してせん断補強部材３６の変形例について説明する。
図５（Ａ）に正面図で、（Ｂ）に側面図で示すせん断補強部材３６は、上弦材４０と斜材４２の上辺部４２０４との固定箇所が図３に示すせん断補強部材３６と異なっている。
すなわち、図５に示すせん断補強部材３６では、斜材４２を含む面に対して直交する方向において上弦材４０と斜材４２の上辺部４２０４が固定され、これによりせん断補強部材の高さを小さくする上で有利となっている。
図６（Ａ）に正面図で、（Ｂ）に側面図で示すせん断補強部材３６は、底辺部４２０２と上辺部４２０４の形状が図５に示すせん断補強部材３６と異なっている。
すなわち、底辺部４２０２と上辺部４２０４はそれぞれ直線状ではなく湾曲状に形成されており、底辺部４２０２と上辺部４２０４をこのような形状にすることで底辺部４２０２と上辺部４２０４を簡単に加工でき、斜材４２のコストダウンを図る上で有利となっている。
なお、図５および図６に示すせん断補強部材３６によっても図１、図２、図４に示すハーフＰＣ床部材１２および鉄筋コンクリート造床スラブ３０が得られることは無論のことである。
【００１９】
次に、図７乃至図９を参照して第３の実施の形態について説明する。
図７（Ａ）はせん断補強部材の正面図、（Ｂ）は同側面図、図８は鉄筋コンクリート造床スラブの断面正面図、図９は同断面側面図を示す。
第３の実施の形態に係るハーフＰＣ床部材３２は、図８、図９に示すように、コンクリート部３２０２と、このコンクリート部３２０２の底部に格子状に埋め込まれた複数の床スラブ下端鉄筋３２０４（図８では省略）と、それら床スラブ下端鉄筋３２０４上に配置され下部がコンクリート部３２０２に埋め込まれた複数のせん断補強部材５６から構成されている。
【００２０】
前記せん断補強部材５６は、図７（Ａ）、（Ｂ）に示すように、１枚の鋼板からなり曲げ補強筋として機能する上部材５７と、１本の構造用鉄筋からなりせん断補強筋として機能する斜材５８と、１本の構造用鉄筋からなり曲げ補強筋として機能する底部材５９とを備え、せん断補強部材３６は格子状に配置されずコンクリート部３２０２の一辺に平行させて複数設けられている。
前記上部材５７は細い幅を有して直線状に延在形成されており、本実施の形態ではこのように上部材５７として鋼板を用いているので、特に、横方向の座屈に対して強く、水平方向のたわみを阻止でき、ロングスパンに対して有利となっている。
前記斜材５８は、前記上部材５７の幅方向のほぼ中央で上部材５７の長手方向に等間隔をおいた箇所に固定された多数の上辺部５８０２と、前記上部材５７に平行して延在する直線上に位置するように配置された多数の底辺部５８０４と、これら上辺部５８０２の端部と底辺部５８０４の端部とを順次連結する連結部５８０６とから波形に形成されている。なお、加工が簡単になされるように上辺部５８０２と底辺部５８０４は湾曲状に（上辺部５８０２を挟んだ両側の連結部５８０６のなす角度および底辺部５８０４を挟んだ両側の連結部５８０６のなす角度が共に６０度となるように）形成されているが、図３に符号４２０２、４２０４で示す上辺部や底辺部のように直線状に形成するようにしてもよい。
前記底部材５９は前記上部材５７と平行して延在し前記多数の底辺部５８０４にそれぞれ溶接により固定され、底部材５９と斜材５８の底辺部５８０４も床スラブ下端鉄筋３２０４に溶接により固定されている。
【００２１】
本実施の形態では、前記斜材５８を含む面に対して直交する方向において底部材５９と斜材５８の底辺部５８０４が固定されているが、図７（Ｂ）に５９'で示すように、前記斜材５８と底部材５９が単一の平面内に含まれるように底部材５９と斜材５８の底辺部５８０４を固定するようにしてもよい。なお、前記斜材５８を含む面に対して直交する方向において底部材５９と斜材５８の底辺部５８０４とを固定すると、せん断補強部材５６の高さを小さくする上で有利となり、また、底部材５９の上面上に位置するコンクリートの面積が大きくなるため引き抜き強度を高める上でも有利となる。
そして、斜材５８を含む平面がコンクリート部３２０２の厚さ方向に平行する方向に延在し、かつ、前記上部材５７がコンクリート部３２０２の厚さ方向に臨む面に平行して延在するように（即ち、平板状の上部材５７の両側面がコンクリート部３２０２の主面に対して平行に延展するように）せん断補強部材５６の一部がコンクリート部３２０２に埋設されている。より詳細には、斜材５８の連結部５８０６の下半部と底辺部５８０４の全ての部分がコンクリート部３２０２に埋設され、上部材５７がコンクリート部３２０２の表面の上方で表面に平行して延在するように斜材５８の連結部５８０６の上半部と上部材５７がコンクリート部３２０２の表面の上方に露出している。
【００２２】
そして、このようなハーフＰＣ床部材３２が平面的に並べられ、上部材５７の上に床スラブ上端鉄筋５２（図８では省略）が格子状に配筋され溶着固定された後、現場打ちコンクリート床部５０が後打ちされて鉄筋コンクリート造床スラブ３０が得られる。
第３の実施の形態のハーフＰＣ部材３２によれば、従来の組立鉄筋１６に代わりせん断補強部材５６がコンクリート打継ぎ面のせん断補強部材として機能し、また、現場打ちコンクリート床部５０に配設される床スラブ上端鉄筋（床主筋）の位置決め・固定機能、更には、ハーフＰＣ床部材３２自体の曲げ剛性を高め、製造・運搬・建て込み等のハンドリング時の部材破損防止機能が奏される。
そして、せん断補強部材５６は上部材５７と、斜材５８と、底部材５９との３つの部材からなる簡単な構成でコストダウンを図ることが可能となる。さらに、コストダウンを図れることから、従来、コストの面で制約を受けていた種々の分野にも利用できるようになり、ハーフＰＣ部材３２の実用的価値を格段と高めることも可能となる。
【００２３】
次に、図１０、図１１を参照して第４の実施の形態について説明する。
図１０は鉄筋コンクリート造床スラブの断面正面図、図１１は同断面側面図を示す。
第４の実施の形態に係るハーフＰＣ床部材３２は、コンクリート部３２０２と、このコンクリート部３２０２に格子状に埋め込まれた複数の床スラブ下端鉄筋３２０４（図１０では省略）と、それら床スラブ下端鉄筋３２０４上に配置され下部がコンクリート部３２０２に埋め込まれた複数のせん断補強部材５６から構成されている。
せん断補強部材５６の構成は前記第３の実施の形態と同一で、コンクリート部３２０２の一辺に平行させて複数設けられ、せん断補強部材５６の上部材５７、斜材５８の上辺部５８０２、連結部５８０６の上半部がコンクリート部３２の表面から露出している。
【００２４】
このようなハーフＰＣ床部材３２が平面的に並べられ、上部材５７の上に、直接またはスペーサを介して床スラブ上端鉄筋５２（図１０では省略）が格子状に配筋された後、現場打ちコンクリート床部５０が後打ちされて鉄筋コンクリート造床スラブ３０が得られる。
なお、図１１において符号５４は中空部を示しており、この中空部５４はエスレンボイド型枠を用いることで形成される。また、中空部５４を、第２の実施の形態と同様に廃棄プラスチックをブロック状に再形成したリサイクルブロックを用いることで形成することも可能である。この場合には、現場打ちコンクリート床部５０を後打ちする前に、ハーフＰＣ床部材３２の上にリサイクルブロックを固定しておき、現場打ちコンクリート床部５０を後打ちしてリサイクルブロックをコンクリート中に埋め込むことになる。
【００２５】
次に、図１２（Ａ）、（Ｂ）、（Ｃ）を参照して第５乃至第７の実施の形態について説明する。
第５の実施の形態に係るハーフＰＣ床部材３２は、図１２（Ａ）に断面図で示すように、コンクリート部３２０２と、このコンクリート部３２０２の底部に格子状に埋め込まれた複数の床スラブ下端鉄筋３２０４（図１２では省略）と、それら床スラブ下端鉄筋３２０４上に配置され下部がコンクリート部３２０２に埋め込まれた複数のせん断補強部材６２から構成されている。
せん断補強部材６２として本実施の形態ではＨ形鋼（またはＩ形鋼）が用いられており、せん断補強部材６２は、互いに対向する上フランジ６２０２および下フランジ６２０４と、これら上フランジ６２０２と下フランジ６２０４間を連結するウェブ６２０６とを備えている。
そして、前記下フランジ６２０４が床スラブ下端鉄筋３２０４（図１２では省略）に固定され、下フランジ６２０４と、フェブ６２０６の下フランジ６２０４寄り部分がコンクリート部３２０２に埋設されている。
せん断補強部材６２はコンクリート部３２０２の一辺に平行させて複数設けられ、上フランジ６２０２およびウェブ６２０６の中間部から上部にかけてコンクリート部３２の表面から露出している。
【００２６】
そして、このようなハーフＰＣ床部材３２が平面的に並べられ、上フランジ６２０２の上に床スラブ上端鉄筋５２（図１２では省略）が格子状に配筋された後、現場打ちコンクリート床部５０が後打ちされて鉄筋コンクリート造床スラブ３０が得られる。
第５の実施の形態のハーフＰＣ部材３２によれば、従来の組立鉄筋１６に代わりせん断補強部材６２がコンクリート打継ぎ面のせん断補強部材として機能し、また、現場打ちコンクリート床部５０に配設される床スラブ上端鉄筋（床主筋）の位置決め・固定機能、更には、ハーフＰＣ床部材３２自体の曲げ剛性を高め、製造・運搬・建て込み等のハンドリング時の部材破損防止機能が奏される。
そして、せん断補強部材６２はＨ形鋼（またはＩ形鋼）であり、市販品を使用できるので、ハーフＰＣ部材３２のコストダウンを図る上でより一層有利となり、コストダウンを図れることから、従来、コストの面で制約を受けていた種々の分野にも利用でき、ハーフＰＣ部材３２の実用的価値を格段と高めることが可能となる。
【００２７】
第６の実施の形態に係るハーフＰＣ床部材３２は、図１２（Ｂ）に断面図で示すように、コンクリート部３２０２と、このコンクリート部３２０２に格子状に埋め込まれた複数の床スラブ下端鉄筋３２０４（図１２では省略）と、それら床スラブ下端鉄筋３２０４上に配置され下部がコンクリート部３２０２に埋め込まれた複数のせん断補強部材６４から構成されている。
せん断補強部材６４として本実施の形態では溝形鋼が用いられており、せん断補強部材６４は、互いに対向する上フランジ６４０２および下フランジ６４０４と、これら上フランジ６４０２と下フランジ６４０４間を連結するウェブ６４０６とを備えている。
そして、前記下フランジ６４０４が床スラブ下端鉄筋３２０４（図１２では省略）に固定され、下フランジ６４０４と、フェブ６４０６の下フランジ６４０４寄り部分がコンクリート部３２０２に埋設されている。
せん断補強部材６４はコンクリート部３２０２の一辺に平行させて複数設けられ、上フランジ６４０２およびウェブ６４０６の中間部から上部にかけてコンクリート部３２の表面から露出している。
【００２８】
そして、このようなハーフＰＣ床部材３２が平面的に並べられ、上フランジ６４０２の上に床スラブ上端鉄筋５２（図１２では省略）が格子状に配筋された後、現場打ちコンクリート床部５０が後打ちされて鉄筋コンクリート造床スラブ３０が得られる。
第６の実施の形態のハーフＰＣ部材３２によっても、従来の組立鉄筋１６に代わりせん断補強部材６４がコンクリート打継ぎ面のせん断補強部材として機能し、また、床スラブ上端鉄筋（床主筋）の位置決め・固定機能、更には、ハーフＰＣ床部材３２自体の曲げ剛性を高め、ハンドリング時の部材破損防止機能が奏される。
そして、せん断補強部材６４は溝形鋼であり、市販品を使用できるので、ハーフＰＣ部材３２のコストダウンを図る上でより一層有利となり、ハーフＰＣ部材３２の実用的価値を格段と高めることが可能となる。
【００２９】
第７の実施の形態に係るハーフＰＣ床部材３２は、図１２（Ｃ）に断面図で示すように、コンクリート部３２０２と、コンクリート部３２０２に埋め込まれた複数のせん断補強部材６６から構成されている。
せん断補強部材６６として本実施の形態では溝形鋼が用いられており、せん断補強部材６６は、互いに対向する上フランジ６６０２および下フランジ６６０４と、これら上フランジ６６０２と下フランジ６６０４間を連結するウェブ６６０６とを備え、第７の実施の形態では、エンボス加工によりウェブ６６０６に複数の開口部６６１２が形成されている。
【００３０】
この第７の実施の形態について図１３、図１４を参照してさらに詳細に説明する。
図１３はハーフＰＣ床部材と、それらの上面に後打ちされた現場打ちコンクリート床部からなる鉄筋コンクリート造床スラブの分解斜視図、図１４（Ａ）はせん断補強部材の断面側面図、（Ｂ）は同正面図を示す。
第７の実施の形態に係るハーフＰＣ床部材３２では、せん断補強部材６６としてウェブ６６０６に複数の開口部６６１２が形成された溝形鋼が用いられている。
前記複数の開口部６６１２は、図１４（Ｂ）に示すように、ウェブ６６０６の長手方向に間隔をおいて台形状の開口部６６１２がウェブ６６０６の幅方向の中央で向かい合うように形成され、また、それらの間に菱形状の開口部６６１２が位置するように形成されている。このような溝形鋼として、例えば、住友金属建材社の商品名「ＳＬ形鋼」を使用可能である。
【００３１】
前記複数の開口部６６１２によるせん断補強の作用・効果は、コンクリートの打継ぎ面に対するものではなく、形鋼と該形鋼が埋め込まれる周囲のコンクリートとが一体化するように、即ち、床スラブが外力を受けた際、形鋼がその延在方向に移動して周囲のコンクリートと鋼材面との縁が切れてしまうことが無いように、補強するためのものであり、本実施の形態では開口部６６１２が特許請求の範囲のせん断補強手段に相当している。
このようなせん断補強手段は、上フランジ６６０２、下フランジ６６０４、ウェブ６６０６の全てあるいは何れかに設ければよく、せん断補強手段としてはエンボス加工により形成された開口部の他、バーリング加工で形成された突起や、あるいは突起物が溶着されることで構成される。
【００３２】
そして、前記下フランジ６６０４が床スラブ下端鉄筋３２０４に固定され、下フランジ６６０４と、フェブ６６０６の下フランジ６６０４寄り部分がコンクリート部３２０２に埋設されている。
せん断補強部材６６はコンクリート部３２０２の一辺に平行させて複数設けられ、上フランジ６６０２およびウェブ６６０６の中間部から上部にかけてコンクリート部３２の表面から露出している。
そして、このようなハーフＰＣ床部材３２が平面的に並べられ、上フランジ６６０２の上に床スラブ上端鉄筋５２が格子状に配筋された後、現場打ちコンクリート床部５０が後打ちされて鉄筋コンクリート造床スラブ３０が得られる。
【００３３】
なお、符号５４は中空部を示しており、この中空部５４は、図４や図１１に示す場合と同様で、エスレンボイド型枠や、廃棄プラスチックをブロック状に再形成したリサイクルブロックを用いることで形成される。
第７の実施の形態のハーフＰＣ部材３２によっても、従来の組立鉄筋１６に代わりせん断補強部材６６がコンクリート打継ぎ面のせん断補強部材として機能し、また、床スラブ上端鉄筋（床主筋）の位置決め・固定機能、更には、ハーフＰＣ床部材３２自体の曲げ剛性を高め、ハンドリング時の部材破損防止機能が奏される。
そして、せん断補強部材６６は溝形鋼であり、市販品を使用できるので、ハーフＰＣ部材３２のコストダウンを図る上でより一層有利となり、ハーフＰＣ部材３２の実用的価値を格段と高めることが可能となる。
【００３４】
なお、本実施の形態ではハーフＰＣ部材がハーフＰＣ床部材であり、鉄筋コンクリート造床スラブを施工する場合について説明したが、ハーフＰＣ部材をハーフＰＣ壁部材とした場合には、鉄筋コンクリート造壁体が施工される。
この場合には、図１、図２、図８乃至図１３に示されるハーフＰＣ部材（ハーフＰＣ壁部材）３２が建設物の所定壁位置に、該壁の表裏両面の一方を構成するように建て込まれ、該壁の表裏両面の他方を構成するように通常の型枠または通常のハーフＰＣ壁部材を建て込んで後打ちコンクリート用空間部を形成し、次いで、該空間部に後打ちコンクリートを打設することで壁体が施工される。なお、ハーフＰＣ部材をハーフＰＣ壁部材とした場合には、図２、図４、図９、図１１、図１３に示される床スラブ下端鉄筋３２０４は壁主筋となる。
【００３５】
【発明の効果】
以上の説明で明らかなように本発明によれば、加工組立工程が極めて単純となり、該部材を用いたハーフＰＣ部材の製作コスト、および床スラブや壁体の施工コストを相当に低減できる。
したがって、本発明のハーフＰＣ部材を用いれば型枠用木材の使用量を削減でき熱帯雨林等の保護に役立つ他、木製型枠の使用に伴う型枠廃材の発生も防ぐことができ、また、中空部を作成する場合においても廃棄プラスチックをリサイクル利用すれば、建築工事に関連する環境問題に貢献できる。
【図面の簡単な説明】
【図１】ハーフＰＣ床部材と、それらの上面に後打ちされた現場打ちコンクリート床部からなる鉄筋コンクリート造床スラブの分解斜視図である。
【図２】鉄筋コンクリート造床スラブの断面図である。
【図３】（Ａ）はせん断補強部材の正面図、（Ｂ）は同側面図である。
【図４】中空部を有する鉄筋コンクリート造床スラブの断面図である。
【図５】（Ａ）はせん断補強部材の正面図、（Ｂ）は同側面図である。
【図６】（Ａ）はせん断補強部材の正面図、（Ｂ）は同側面図である。
【図７】（Ａ）はせん断補強部材の正面図、（Ｂ）は同側面図である。
【図８】鉄筋コンクリート造床スラブの断面正面図である。
【図９】鉄筋コンクリート造床スラブの断面側面図である。
【図１０】中空部を有する鉄筋コンクリート造床スラブの断面正面図である。
【図１１】中空部を有する鉄筋コンクリート造床スラブの断面側面図である。
【図１２】（Ａ）乃至（Ｃ）はせん断補強部材として形鋼を用いた鉄筋コンクリート造床スラブの断面図である。
【図１３】中空部を有する鉄筋コンクリート造床スラブの断面図である。
【図１４】（Ａ）はせん断補強部材の断面側面図、（Ｂ）は同正面図を示す。
【図１５】複数のハーフＰＣ床部材と、それらの上面に後打ちされた現場打ちコンクリート床部からなる鉄筋コンクリート造床スラブの分解斜視図である。
【図１６】ハーフＰＣ床部材と、その上面に後打ちされた現場打ちコンクリート床部からなる鉄筋コンクリート造床スラブの断面図である。
【図１７】ハーフＰＣ床部材と、その上面にエスレンボイド型枠を用いて後打ちされた現場打ちコンクリート床部からなる鉄筋コンクリート造床スラブの断面図である。
【図１８】組立鉄筋の斜視図である。
【符号の説明】
３０  鉄筋コンクリート造床スラブ
３２  ハーブＰＣ床部材
３６、５６、６２、６４、６６  せん断補強部材
４０  上弦材
４２  斜材
５０  現場打ちコンクリート床部
５４  中空部
５７  上部材
５８  斜材
５９  底部材
３２０２  コンクリート部
３２０４  床スラブ下端鉄筋
【図１】
0004285826.tif 000002
【図２】
0004285826.tif 000003
【図３】
0004285826.tif 000004
【図４】
0004285826.tif 000005
【図５】
0004285826.tif 000006
【図６】
0004285826.tif 000007
【図７】
0004285826.tif 000008
【図８】
0004285826.tif 000009
【図９】
0004285826.tif 000010
【図１０】
0004285826.tif 000011
【図１１】
0004285826.tif 000012
【図１２】
0004285826.tif 000013
【図１３】
0004285826.tif 000014
【図１４】
0004285826.tif 000015
【図１５】
0004285826.tif 000016
【図１６】
0004285826.tif 000017
【図１７】
0004285826.tif 000018
【図１８】
0004285826.tif 000019